(57)【要約】【課題】貫通部を有する発泡断熱材で貯湯缶体を覆う構成としても放熱量を最小限に抑えることができる給湯装置を提供すること。【解決手段】本発明の給湯装置は、温水を貯湯する貯湯缶体１０２と、貯湯缶体１０２の周囲を覆うように配設し、貫通部を有した発泡断熱材３１０とを備え、貫通部の周囲に内方側に突出する突部３１４を設けたことにより、貫通部から外部に放熱する放熱量を最小限にすることができるので、断熱効果の高い貯湯缶体を提供することができるとともに、引いては、湯切れの発生を防止することができる給湯装置を提供することができる。。【選択図】図３
2007333257.tif 000002
【特許請求の範囲】
【請求項１】
温水を貯湯する貯湯缶体と、前記貯湯缶体の周囲を覆うように配設し、貫通部を有した発泡断熱材とを備え、前記貫通部の周囲に内方側に突出する突部を設けたことを特徴とする給湯装置。
【請求項２】
発砲断熱材は、前面側を構成する前面側断熱材と、後面側を構成する後面側断熱材と、天面側を構成する天面側断熱材と、下面側を構成する下面側断熱材とで構成されることを特徴とする請求項１に記載の給湯装置。
【請求項３】
突部と発泡断熱材とは一体成形されたことを特徴とする請求項１または２に記載の給湯装置。
【請求項４】
突部は半環状の隆起部であることを特徴とする請求項３に記載の給湯装置。
【発明の詳細な説明】
【技術分野】
【０００１】
本発明は、貯湯缶体の放熱量を軽減する断熱材を有する給湯装置に関するものである。
【背景技術】
【０００２】
従来、この種の給湯装置は、図８のように複数の成型断熱材で貯湯缶体の外郭を囲むことにより、貯湯缶体に蓄えられる湯水の保温を図っていた。そしてこの構成によれば、貯湯缶体に断熱材としてガラスウールを巻きつける場合と比較して、製造組立時の工数が大幅に削減され、作業性が向上していた。（例えば、特許文献１参照）。
【０００３】
また、日本の狭小な住宅事情を考慮すると、今後は給湯装置全体の小型化が求められてくるが、それに伴って貯湯缶体の容量自体も減少するようになる。そして、貯湯缶体の容量が減少すると、貯湯缶体内に出湯すべき湯水が枯渇してしまうという湯切れ問題が生じやすくなるので、蓄えられる湯水の放熱による温度低下の影響は深刻となり、貯湯缶体の湯水の保温性は重要な課題である。
【特許文献１】特開平８−３２７５１７号公報
【発明の開示】
【発明が解決しようとする課題】
【０００４】
しかしながら、上記従来の技術では、成形断熱材で貯湯缶体の外郭を囲む場合、貯湯缶体より延伸する出湯管や給水管、もしくは貯湯缶体を固定させる脚部などを貫通させなければならず、成形断熱材などの保温部材に貫通部を設けなければならない。そのため、貯湯缶体と成形断熱材の間に生じる空間から貫通部を通って外部に熱が放熱してしまい、保温性能が低下してしまうという課題を有していた。
【０００５】
本発明は、前記従来の課題を解決するもので、貫通部を有する発泡断熱材で貯湯缶体を覆う構成としても放熱量を最小限に抑えることができる給湯装置を提供することを目的とする。
【課題を解決するための手段】
【０００６】
前記従来の課題を解決するために、本発明の給湯装置は、温水を貯湯する貯湯缶体と、前記貯湯缶体の周囲を覆うように配設し、貫通部を有した発泡断熱材とを備え、前記貫通部の周囲に内方側に突出する突部を設けたことを特徴とするものである。
【０００７】
これによって、発泡断熱材の保温効果に加えて、貫通部から外部に放熱される放熱量を最小限に抑えることができるので、給湯装置としての断熱効果を向上させることができる。
【発明の効果】
【０００８】
貫通部を有する発泡断熱材で貯湯缶体を覆う構成としても放熱量を最小限に抑えることができる給湯装置を提供することができる。
【発明を実施するための最良の形態】
【０００９】
第１の発明の給湯装置は、温水を貯湯する貯湯缶体と、前記貯湯缶体の周囲を覆うように配設し、貫通部を有した発泡断熱材とを備え、前記貫通部の周囲に内方側に突出する突部を設けたことにより、貫通部から外部に放熱する放熱量を最小限にすることができるので、断熱効果の高い貯湯缶体を提供することができるとともに、引いては、湯切れの発生を防止することができる給湯装置を提供することができる。
【００１０】
第２の発明の給湯装置は、特に第１の発明において、発砲断熱材は、前面側を構成する前面側断熱材と、後面側を構成する後面側断熱材と、天面側を構成する天面側断熱材と、下面側を構成する下面側断熱材とで構成されることにより、発泡断熱材組立時において組みたてやすい。
【００１１】
第３の発明の給湯装置は、特に第１または第２の発明において、突部と発泡断熱材とは一体成形されたことにより、発泡成形が容易に安価でできる。
【００１２】
第４の発明の給湯装置は、特に第３の発明において、突部は半環状の隆起部であることにより、発泡断熱材組立時に貯湯缶体が発泡断熱材に形成した隆起部に当接されるので、当接する寸法をプラス目になっても、適度に形状が、貯湯缶体表面になじみ、断熱効果をさらに高めることができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における給湯装置の構成図であり、図２は、本実施の形態における給湯装置の要部分解図である。図１、図２において、給湯装置１００は、筐体２００の内部に、湯水を貯湯する貯湯缶体１０２と、貯湯缶体１０２を覆う発泡断熱材３００と、貯湯缶体１０２内に水を供給する給水管２０１と、貯湯缶体１０２内に蓄えられている湯水を出湯する出湯管２０２がある。また、筐体２００の内部には、熱交換器２０３が配設されており、浴槽内の湯水もしくは床暖房用温水として循環する湯水と、貯湯缶体１０２内に蓄えられている湯水とを熱交換するものである。
【００１５】
また、貯湯缶体１０２内の湯水を加熱する加熱源として、本実施の形態では、ヒートポンプサイクルを熱源とするヒートポンプユニット１０１を用いているが、これに限定することは無く、例えば電気ヒータで貯湯タンク内の低温水を加熱するような形態の給湯装置であってもよい。
【００１６】
また、貯湯缶体１０２を覆う発泡断熱材３００は、貯湯缶体１０２の前部を覆う前面側断熱材３１０と、後部を覆う後面側断熱材３２０と、天井部を覆う天面側断熱材３３０と、底部を覆う下面側断熱材３４０とで構成され、それぞれの断熱材は発泡断熱材で構成される。前面側断熱材３１０には、サーミスタや貯湯缶体から延出する配管などを取り出す貫通部３９０を設けており、貫通部３９０には残湯サーミスタカバー２１０や缶体配管カバー２１１で蓋をしている。なお残湯サーミスタカバー２１０や缶体配管カバー２１１は前面側断熱材３１０と同じ材料で形成されている。
【００１７】
図３は、貫通部３９０の断面図である。図３において、貫通部３９０には、貯湯缶体１０２から延出される配管２０４が貫通しており、貫通部の周囲の内方側に突部である隆起部３１４が形成されている。また隆起部３１４の断面は半環状となっているので、貯湯缶体１０２と当接したときに発泡断熱材と貯湯缶体１０２がよくなじむようになっている。なお、本実施の形態では、隆起部３１４は発泡断熱材と一体成形しているが、これに限定されるものではなく、別部材にて隆起部３１４の代わりに突部を設けても同様の効果を奏する。図３において、矢印のように熱が流れるが、隆起部３１４があるために熱が外部に放熱することがない。
【００１８】
図４は、貫通部を設けた下面側断熱材の要部断面図である。図４においても、上記実施例の如く、貯湯缶体１０２から延出する配管２０４を貫通部から取り出しており、貫通部
の周囲には隆起部３４１が設けられているため、熱が外部に放出することがない。
【００１９】
なお、貫通部を通るのは配管類に限定されることはなく、例えば、貯湯缶体１０２を支持する脚部などであっても問題はなく、同じように貫通部に隆起部を設けることで熱が放熱するのを防ぐ。
【００２０】
図５は、筐体２００の底板を外した状態の下平面図、図６は、下面側断熱材３４０の内方側正面図である。図５において、貯湯缶体の下面からも配管２０４が延出しており、前面側断熱材同様に、下面側断熱材にも貫通部を有している。図６において、下面側断熱材に設けられた貫通部３１２、また貯湯缶体１０２を支持する缶体脚を逃がす缶体脚逃がし穴３１３の周囲においても、隆起部３４１、３４２を設けており、同様に熱が放熱するのを防いでいる。
【００２１】
また、局部的に前面側断熱材３１０と下面側断熱材３４０の隆起部の断面形状を半環状に設けているので、発泡成形の金型で貯湯缶体１０２との嵌合が容易にでき金型の抜き方向に形成することで安価な金型を製作できる。
【００２２】
以上のように、発泡断熱材と貯湯缶体との間に空間を形成したとしても貫通部から熱が逃げることなく、隆起部を設けたことによって確実に断熱効果を維持することができる。
【産業上の利用可能性】
【００２３】
以上のように、本発明は、ヒートポンプ給湯機だけに限らず、電気給湯器などにも適用することができる。
【図面の簡単な説明】
【００２４】
【図１】本発明の第１の実施の形態における給湯装置の構成図
【図２】同実施の形態における給湯装置の要部分解図
【図３】同実施の形態における要部断面図
【図４】同実施の形態における要部断面図
【図５】同実施の形態における底板を外した状態の下平面図
【図６】同実施の形態における下面側断熱材の内方側正面図
【図７】従来の電気給湯器の構成図
【符号の説明】
【００２５】
１００  給湯装置
１０１  ヒートポンプユニット
２００  筐体
２０１  給水管
２０２  出湯管
２０３  熱交換器
３００  発泡断熱材
３１０  前面側断熱材
３１２  貫通部
３１４  隆起部
３２０  後面側断熱材
３３０  天面側断熱材
３４０  下面側断熱材
３４１  隆起部
３４２  隆起部
３９０  貫通部
【図１】
2007333257.tif 000003
【図２】
2007333257.tif 000004
【図３】
2007333257.tif 000005
【図４】
2007333257.tif 000006
【図５】
2007333257.tif 000007
【図６】
2007333257.tif 000008
【図７】
2007333257.tif 000009